(57)【要約】【課題】携帯電話において簡便に取り替えることができる装飾を実現するために、使用できる、型取りシートを、提供すること。【解決手段】携帯電話の背面を覆うように携帯電話に取り付けられる透明な保護カバーと携帯電話の前記背面との間に挟まれるシート片を、裁断によって形成するのに使用される、携帯電話用の型取りシート５であって、透明シートと、透明シートの裏面に微粘着接着剤を介して接合された、透明な剥離シートと、からなっており、剥離シートを剥がすと透明シートの裏面に微粘着接着剤が残るようになっており、透明シートが、微粘着接着剤によってシート片に貼り付け可能であるが、シート片から剥がすとシート片の表面に粘着性を残さないようになっており、透明シートの表面には、携帯電話の前記背面の輪郭を示す線２０１及び前記背面におけるカメラレンズ部の輪郭を示す線２０２が、印刷されている、ことを特徴としている。【選択図】図５
2013187881.tif 000002
【特許請求の範囲】
【請求項１】
携帯電話の背面を覆うように携帯電話に取り付けられる透明な保護カバーと携帯電話の前記背面との間に挟まれるシート片を、裁断によって形成するのに使用される、携帯電話用の型取りシートであって、
透明シートと、前記透明シートの裏面に微粘着接着剤を介して接合された、透明な剥離シートと、からなっており、
前記剥離シートを剥がすと前記透明シートの前記裏面に前記微粘着接着剤が残るようになっており、
前記透明シートが、前記微粘着接着剤によって前記シート片に貼り付け可能であるが、前記シート片から剥がすと前記シート片の表面に粘着性を残さないようになっており、
前記透明シートの表面には、携帯電話の前記背面の輪郭を示す線及び前記背面におけるカメラレンズ部の輪郭を示す線が、印刷されている、
ことを特徴とする型取りシート。
【請求項２】
携帯電話の背面を覆うように携帯電話に取り付けられる透明な保護カバーと、
携帯電話の前記背面との間に挟まれるシート片を、裁断によって形成するのに使用される、型取りシートと、
を備えた携帯電話用の装飾キットであって、
前記型取りシートは、
透明シートと、前記透明シートの裏面に微粘着接着剤を介して接合された、透明な剥離シートと、からなっており、
前記剥離シートを剥がすと前記透明シートの前記裏面に前記微粘着接着剤が残るようになっており、
前記透明シートが、前記微粘着接着剤によって前記シート片に貼り付け可能であるが、前記シート片から剥がすと前記シート片の表面に粘着性を残さないようになっており、
前記透明シートの表面には、携帯電話の前記背面の輪郭を示す線及び前記背面におけるカメラレンズ部の輪郭を示す線が、印刷されており、
前記保護カバーは、携帯電話に取り付けられた際に前記背面との間に前記シート片の厚みに相当する隙間を確保するような深さを有している、
ことを特徴とする装飾キット。
【発明の詳細な説明】
【技術分野】
【０００１】
本発明は、携帯電話を装飾するための、型取りシート及び装飾キットに関する。
【背景技術】
【０００２】
最近では、携帯電話を装飾するために、携帯電話の背面に保護カバーを取り付け、該保護カバーの表面に飾り付けを施すことが、行われている。例えば、特許文献１には、保護カバーの表面に彫刻を施して装飾する方法が、示されている。
【先行技術文献】
【特許文献】
【０００３】
【特許文献１】特開２００７−０７４５２７号公報
【発明の概要】
【発明が解決しようとする課題】
【０００４】
しかしながら、保護カバーへの飾り付けは、労力を要し、高コストである。しかも、一旦施した飾り付けを変更するのは、困難であるので、飾り付けが気に入らない場合には、我慢したり保護カバーを取り替えたりする必要がある。しかるに、保護カバーを取り替えるのは、面倒であり、高コストである。
【０００５】
本発明は、携帯電話において簡便に取り替えることができる装飾を実現するために、使用できる、型取りシート及び装飾キットを、提供することを目的としている。
【課題を解決するための手段】
【０００６】
本願の第１発明は、
携帯電話の背面を覆うように携帯電話に取り付けられる透明な保護カバーと携帯電話の前記背面との間に挟まれるシート片を、裁断によって形成するのに使用される、携帯電話用の型取りシートであって、
透明シートと、前記透明シートの裏面に微粘着接着剤を介して接合された、透明な剥離シートと、からなっており、
前記剥離シートを剥がすと前記透明シートの前記裏面に前記微粘着接着剤が残るようになっており、
前記透明シートが、前記微粘着接着剤によって前記シート片に貼り付け可能であるが、前記シート片から剥がすと前記シート片の表面に粘着性を残さないようになっており、
前記透明シートの表面には、携帯電話の前記背面の輪郭を示す線及び前記背面におけるカメラレンズ部の輪郭を示す線が、印刷されている、
ことを特徴としている。
【０００７】
本願の第２発明は、
携帯電話の背面を覆うように携帯電話に取り付けられる透明な保護カバーと、
携帯電話の前記背面との間に挟まれるシート片を、裁断によって形成するのに使用される、型取りシートと、
を備えた携帯電話用の装飾キットであって、
前記型取りシートは、
透明シートと、前記透明シートの裏面に微粘着接着剤を介して接合された、透明な剥離シートと、からなっており、
前記剥離シートを剥がすと前記透明シートの前記裏面に前記微粘着接着剤が残るようになっており、
前記透明シートが、前記微粘着接着剤によって前記シート片に貼り付け可能であるが、前記シート片から剥がすと前記シート片の表面に粘着性を残さないようになっており、
前記透明シートの表面には、携帯電話の前記背面の輪郭を示す線及び前記背面におけるカメラレンズ部の輪郭を示す線が、印刷されており、
前記保護カバーは、携帯電話に取り付けられた際に前記背面との間に前記シート片の厚みに相当する隙間を確保するような深さを有している、
ことを特徴としている。
【発明の効果】
【０００８】
前記第１発明の型取りシートによれば、形態及び寸法が携帯電話の背面と一致したシート片を、簡便に得ることができる。したがって、本発明の型取りシートを使用すれば、シート片を簡便に取り替えることができ、それによって、携帯電話において簡便に取り替えることができる装飾を実現できる。
【０００９】
前記第２発明の装飾キットによれば、保護カバーが所定の深さを有しているので、型取りシートを用いて得られたシート片を、窮屈な感じを抱かせることなく、携帯電話の背面と保護カバーの本体面との間に挟むことができる。また、保護カバーが透明であるので、シート片の図柄を明瞭に表出させることができる。
【図面の簡単な説明】
【００１０】
【図１】本発明によって実現された装飾を備えた、保護カバー付き携帯電話の、背面斜視図である。
【図２】図１の保護カバー付き携帯電話の分解背面斜視図である。
【図３】保護カバーの裏面斜視図である。
【図４】図３のIV矢視図である。
【図５】本発明の型取りシートの平面図である。
【図６】図５のVI−VI断面図である。
【図７】本発明の型取りシートを使用する一工程を示す平面図である。
【図８】図７に続く工程を示す平面図である。
【図９】図８のIX−IX断面図である。
【図１０】図９に続く工程を示す断面図である。
【図１１】図１０に続く工程を示す断面図である。
【図１２】図１１に続く工程を示す断面図である。
【図１３】得られたシート片の断面図である。
【図１４】得られたシート片の平面図である。
【発明を実施するための形態】
【００１１】
図１は、本発明によって実現された装飾を備えた、保護カバー付き携帯電話の、背面斜視図である。図２は、図１の保護カバー付き携帯電話の分解背面斜視図である。保護カバー付き携帯電話１０においては、携帯電話１の背面１１を覆うように保護カバー２が取り付けられており、背面１１と保護カバー２の本体面２１との間に、図柄が描かれた写真等のシート片３が、挟まれて保持されている。保護カバー２は、透明樹脂でできており、透明である。よって、シート片３の図柄は、本体面２１の表面から視認できる。これにより、携帯電話１の背面１１が図柄によって装飾されたこととなる。保護カバー２を構成する透明樹脂としては、例えば、ポリエステル樹脂を使用できる。
【００１２】
なお、携帯電話１は、スマートフォンが好ましい。何故なら、スマートフォンは、背面１１の平坦性に優れているからである。しかし、携帯電話１は、スマートフォンに限らない。
【００１３】
保護カバー２は、取り付け対象の携帯電話１の形態に適合した形態を有している。図３は、保護カバー２の裏面斜視図である。図４は、図３のIV矢視図である。保護カバー２は、本体面２１の周囲に把持面２２を有しており、把持面２２によって携帯電話１を周囲から把持することによって、携帯電話１に取り付けられるようになっている。なお、把持面２２には、保護カバー２が携帯電話１に取り付けられた場合に、携帯電話１の側面の特定部分を露出させるための、切欠き部２３１、２３２、２３３が形成されている。例えば、切欠き部２３１は、操作ボタンを露出させている。切欠き部２３２は、充電端子を露出させている。また、本体面２１には、携帯電話１の背面１１に設けられているカメラレンズ部１１１を露出させるための孔部２１１が形成されている。
【００１４】
更に、保護カバー２は、携帯電話１に取り付けた際に背面１１との間にシート片３の厚みに相当する隙間を確保するような深さＤ（図３）を、有している。
【００１５】
シート片３は、携帯電話１の背面１１と保護カバー２の本体面２１との間に挟まれることのできる、形態及び寸法を、有している。そのようなシート片３は、本発明の型取りシートを用いて形成される。
【００１６】
図５は、本発明の型取りシートの平面図である。図６は、図５のVI−VI断面図である。この型取りシート５は、透明シート５１と、透明シート５１の裏面に微粘着接着剤５２を介して接合された、透明な剥離シート５３と、からなっており、剥離シート５３を剥がすと透明シート５１の裏面に微粘着接着剤５２が残るようになっている。微粘着接着剤５２は、透明シート５１を対象面に対して貼り付けるが、透明シート５１を対象面から引き剥がすと、対象面に粘着性を残さないように、機能する。より具体的には、透明シート５１としては、例えば、ポリエチレンテレフタレートシートを使用でき、微粘着接着剤５２としては、例えば、アクリル系樹脂を使用でき、剥離シート５３としては、例えば、紙シートを使用できる。
【００１７】
そして、透明シート５１の表面には、携帯電話１の背面１１の輪郭を示す線２０１、及び、背面１１におけるカメラレンズ部１１１の輪郭を示す線２０２が、印刷されている。印刷は、具体的には、オフセット印刷によって実施できる。
【００１８】
更に、型取りシート５は、略対角上の位置に、指で把持できるタブ５９１、５９２を有している。  
【００１９】
型取りシート５は、次のように使用する。なお、タブ５９１、５９２を指で把持すれば、型取りシート５の取扱いを容易に行うことができる。
【００２０】
まず、図７に示されるように、シート片３として挟みたい、例えば写真３０を、用意する。なお、写真３０の形態及び寸法は、携帯電話１の背面１１と一致してはいない。次に、写真３０に対して、型取りシート５を上から重ねていく。次に、図８に示されるように、写真３０の図柄（被写体）３００が線２０１内に位置するように、型取りシート５を写真３０上にて位置決めする。図９は、図８のIX−IX断面図である。
【００２１】
次に、図１０に示されるように、型取りシート５を写真３０から離して、型取りシート５から剥離シート５３を引き剥がす。次に、図１１に示されるように、図８のように位置決めした位置にて、透明シート５１を、微粘着接着剤５２を介して、写真３０に貼り付ける。
【００２２】
次に、透明シート５１が貼り付けられた写真３０を、図１２に示されるように、線２０１で裁断するとともに、線２０２でも裁断する。そして、図１３に示されるように、透明シート５１を引き剥がして、シート片３を得る。なお、シート片３の表面には、粘着性は残っていない。図１４は、得られたシート片３の平面図である。
【００２３】
シート片３は、線２０１で裁断されているので、形態及び寸法が、携帯電話１の背面１１と一致している。したがって、シート片３は、携帯電話１の背面１１の全面を覆って、背面１１と保護カバー２の本体面２１との間に、ぴったりと挟まれる。しかも、シート片３は、線２０２でも裁断されているので、孔３１が形成されており、背面１１を覆った際に、カメラレンズ部１１１を、孔３１を通して露出させることができる。
【００２４】
以上のように、本発明の型取りシート５によれば、携帯電話１の背面１１と保護カバー２の本体面２１との間に挟まれることによって携帯電話１を装飾できるシート片３を、簡単に且つ確実に、形成できる。したがって、シート片３を簡便に変更でき、それによって、種々の装飾を楽しむことができる。すなわち、本発明の型取りシート５は、携帯電話１において簡便に取り替えることができる装飾を実現するために、使用できる。
【００２５】
また、本発明は、保護カバー２と型取りシート５とからなる装飾キットである。この装飾キットによれば、保護カバー２が深さＤを有しているので、型取りシート５を用いて得られたシート片３を、窮屈な感じを抱かせることなく、携帯電話１の背面１１と保護カバー２の本体面２１との間に挟むことができる。また、保護カバー２が透明であるので、シート片３の図柄を明瞭に表出させることができる。
【産業上の利用可能性】
【００２６】
本発明の型取りシートは、携帯電話において簡便に取り替えることができる装飾を実現するために、使用できるので、産業上の利用価値が大である。
【符号の説明】
【００２７】
１  携帯電話  １１  背面  ２  保護カバー  ３  シート片  ５  型取りシート  ５１  透明シート  ５２  微粘着接着剤  ５３  剥離シート  ２０１、２０２  線
【図１】
2013187881.tif 000003
【図２】
2013187881.tif 000004
【図３】
2013187881.tif 000005
【図４】
2013187881.tif 000006
【図５】
2013187881.tif 000007
【図６】
2013187881.tif 000008
【図７】
2013187881.tif 000009
【図８】
2013187881.tif 000010
【図９】
2013187881.tif 000011
【図１０】
2013187881.tif 000012
【図１１】
2013187881.tif 000013
【図１２】
2013187881.tif 000014
【図１３】
2013187881.tif 000015
【図１４】
2013187881.tif 000016